(57)【要約】【課題】撮影中に表現される雰囲気に関する情報をユーザに提示する。【解決手段】被写体像に関する大画像データを取得する大画像取得手段と、大画像データの画像を、撮影領域の画像とその周囲の周囲領域の画像とに分割する分割手段と、撮影領域の画像が有する雰囲気と周囲領域の画像が有する雰囲気とを決定する雰囲気決定手段と、撮影領域の画像を表示すると同時に、雰囲気決定手段により決定された撮影領域の画像が有する雰囲気に関する情報と、周囲領域の画像が有する雰囲気に関する情報とをそれぞれ表示する表示手段と、を備えることを特徴とする。【選択図】図３
2014175732.tif 000002
【特許請求の範囲】
【請求項１】
被写体像に関する第１画像データを取得する第１画像取得手段と、
前記第１画像データの画像を、所定領域の画像と、前記所定領域の周囲を含む周囲領域の画像とに分割する分割手段と、
前記所定領域の画像が有する雰囲気と、前記周囲領域の画像が有する雰囲気とを決定する雰囲気決定手段と、
前記所定領域の画像を表示すると同時に、前記雰囲気決定手段により決定された前記所定領域の画像が有する雰囲気に関する情報と、前記周囲領域の画像が有する雰囲気に関する情報とをそれぞれ表示する表示手段と、
を備えることを特徴とする画像処理装置。
【請求項２】
請求項１に記載の画像処理装置において、
前記表示手段は、前記所定領域が有する雰囲気に関する情報を前記所定領域の表示画像の略中央部に重畳させて表示し、前記周囲領域が有する雰囲気に関する情報を前記所定領域の表示画像の周辺部に重畳させて表示することを特徴とする画像処理装置。
【請求項３】
請求項１または２に記載の画像処理装置において、
前記雰囲気決定部は、前記第１画像データの画像全体が有する雰囲気をさらに決定し、
前記表示部は、前記所定領域の画像を表示すると同時に、前記雰囲気決定手段により決定された前記所定領域の画像が有する雰囲気に関する情報と、前記第１画像データの画像全体が有する雰囲気に関する情報とをそれぞれ表示することを特徴とする画像処理装置。
【請求項４】
請求項１〜３の何れか一項に記載の画像処理装置において、
前記所定領域と前記周囲領域とは、一部重複することを特徴とする画像処理装置。
【請求項５】
請求項１〜４の何れか一項に記載の画像処理装置において、
前記画像処理装置は、画像データを再生して画像を表示する画像再生装置であり、
前記表示手段が前記第１画像データの画像に基づく画像表示を行う際に、前記分割手段、前記雰囲気決定手段を動作させて、前記所定領域の画像、前記所定領域の画像が有する雰囲気に関する情報、および前記周囲領域の画像が有する雰囲気に関する情報を前記表示手段に表示させる制御手段を更に有することを特徴とする画像処理装置。
【請求項６】
請求項１〜５の何れか一項に記載の画像処理装置において、
前記画像処理装置は撮像装置であり、
前記第１画像取得手段は、前記被写体像を撮像して前記第１画像データを生成する撮像手段を有することを特徴とする画像処理装置。
【請求項７】
請求項１〜５の何れか一項に記載の画像処理装置において、
前記第１画像取得手段は、
互いに異なる被写界を撮像して得られた複数の画像データを生成する撮像手段と、
前記撮像手段により生成された前記複数の画像データを合成して、前記複数の画像データ各々の面積よりも大きい面積の画像データを生成する合成手段と、
を有することを特徴とする画像処理装置。
【請求項８】
画像データを再生して画像を表示する表示手段を備えた画像処理装置に適用される画像処理プログラムであって、
第１画像データを取得させ、
前記第１画像データの画像を、所定領域の画像と、前記所定領域の周囲を含む周囲領域の画像とに分割させ、
前記所定領域の画像が有する雰囲気と、前記周囲領域の画像が有する雰囲気とを決定させ、
前記所定領域の画像を表示すると同時に、前記雰囲気決定手段により決定された前記所定領域の画像が有する雰囲気に関する情報と、前記周囲領域の画像が有する雰囲気に関する情報とをそれぞれ前記表示手段に表示させるように、前記画像処理装置を動作させることを特徴とする画像処理プログラム。
【発明の詳細な説明】
【技術分野】
【０００１】
本発明は画像処理装置および画像処理プログラムに関する。
【背景技術】
【０００２】
色彩的特徴量と画像の雰囲気を表す言葉との関係を予め定め、画像に含まれる色彩的特徴量に基づいて、所定の雰囲気（抽象的なキーワード）に対応する画像を検索する技術が存在する（特許文献１）。
【先行技術文献】
【特許文献】
【０００３】
【特許文献１】特開２０００−１１２９５６号公報
【発明の概要】
【発明が解決しようとする課題】
【０００４】
所定の雰囲気を有する画像を得たい、或いは撮影したいというユーザの希望が存在する。しかし、構図により所定の雰囲気を表現するためには、高度な技術や経験を要する。特許文献１の検索技術は、撮影された画像そのものに対する評価（雰囲気）をユーザーに提示することは出来る。しかしながら、もしその撮影画像とは異なる構図の画像を取得できるとしたなら、どのような評価（雰囲気）を付与される画像になるかをユーザに提示することはできない。
【課題を解決するための手段】
【０００５】
本発明における画像処理装置は、被写体像に関する第１画像データを取得する第１画像取得手段と、第１画像データの画像を、所定領域の画像と所定領域の周囲を含む周囲領域の画像とに分割する分割手段と、所定領域の画像が有する雰囲気と周囲領域の画像が有する雰囲気とを決定する雰囲気決定手段と、所定領域の画像を表示すると同時に、雰囲気決定手段により決定された所定領域の画像が有する雰囲気に関する情報と、周囲領域の画像が有する雰囲気に関する情報とをそれぞれ表示する表示手段と、を備えることを特徴とする。
また本発明における画像処理プログラムは、画像データを再生して画像を表示する表示手段を備えた画像処理装置に適用される画像処理プログラムであって、第１画像データを取得させ、前記第１画像データの画像を、所定領域の画像と、所定領域の周囲を含む周囲領域の画像とに分割させ、所定領域の画像が有する雰囲気と、周囲領域の画像が有する雰囲気とを決定させ、所定領域の画像を表示すると同時に、雰囲気決定手段により決定された所定領域の画像が有する雰囲気に関する情報と、周囲領域の画像が有する雰囲気に関する情報とをそれぞれ表示手段に表示させるように、画像処理装置を動作させることを特徴とする。
【発明の効果】
【０００６】
本発明による画像処理装置は、互いに異なる構図の画像の雰囲気に関する情報をユーザに提示することができる。
【図面の簡単な説明】
【０００７】
【図１】本発明の第１の実施の形態による撮像装置の構成例を示すブロック図である。
【図２】雰囲気データベースに含まれるデータのフォーマット例を示す図である。
【図３】本発明の第１および第２の実施の形態による撮像装置の表示部に表示されるガイド画面の一例を示す図である。
【図４】本発明の第１および第２の実施の形態による撮像装置の制御部の機能ブロック図である。
【図５】撮像素子の全体の撮像領域（有効画素領域）と撮影対象領域との関係を示す図である。
【図６】撮影対象領域と周囲画像領域との位置関係を例示する図である。
【図７】本発明の第１の実施の形態による撮像装置の動作例を示すフローチャートである。
【図８】代表色決定部の処理に関するフローチャートである。
【図９】雰囲気決定部の処理に関するフローチャートである。
【図１０】雰囲気に関するメタデータを有する画像データの一例を示す図である。
【図１１】本発明の第２の実施の形態による撮像装置の表示部に表示されるガイド画面の一例を示す図である。
【図１２】本発明の第２の実施の形態による撮像装置の動作例を示すフローチャートである。
【図１３】ガイド画面の別の一例を示す図である。
【図１４】撮影対象領域と周囲画像領域との位置関係を別の一例を示す図である。
【図１５】ガイド画面の別の一例を示す図である。
【図１６】ズーム操作時に表示するガイド画面の一例を示す図である。
【図１７】本発明の第３の実施の形態による画像再生装置の構成例を示すブロック図である。
【図１８】本発明の第３の実施の形態による画像再生装置の動作例を示すフローチャートである。
【発明を実施するための形態】
【０００８】
―第１の実施の形態―
図１は、本発明の第１の実施の形態による撮像装置の構成例を示すブロック図である。図１には、撮像装置の一例として、デジタルカメラ１００が例示されている。デジタルカメラ１００は、撮影レンズ１０と、撮像部１１と、制御部１２と、記憶部１３と、表示用モニターを備えた表示部１４と、操作部材１５と、画像記録部１６と、外部記録媒体スロット１７と、を備える。
【０００９】
デジタルカメラ１００は、ポートレート、風景、夕焼けなど複数のシーンモードを有する。ポートレートモードは、人物の撮影に適したシーンモードである。風景モードは、風景の撮影に適したシーンモードである。夕焼けモードは、夕焼けや朝焼けにより赤みを帯びた被写体を撮影するのに適したシーンモードである。
【００１０】
撮影レンズ１０は、撮像部１１に含まれる撮像素子１１ａの撮像領域を包含するイメージサークルを有し、撮像素子１１ａの撮像面上に被写体像を結像させる。撮像部１１は、被写体像を撮像してＲＧＢ表色系のデジタル画像信号を制御部１２へ出力する。なお、図１では、撮影レンズ１０は、図を簡単にするため単レンズとして図示されているが、実際には不図示のフォーカシングレンズ、ズームレンズなど複数の光学系で構成される。
【００１１】
制御部１２は、例えばＣＰＵと画像処理部とを含み、記憶部１３に記憶されているプログラムを実行することにより、デジタルカメラ１００の各部を制御する。制御部１２により実行される各処理については詳細を後述する。
【００１２】
記憶部１３は、バッファメモリ１３ａなどの揮発性の記録媒体と、フラッシュメモリ１３ｂやＲＯＭ（不図示）などの不揮発性の記録媒体とを含む。バッファメモリ１３ａには、撮像部１１から出力されたデジタル画像信号と、制御部１２により画像処理中の各種画像データが一時的に格納される。フラッシュメモリ１３ｂには、詳細を後述する雰囲気データベース１３０が記憶されている。フラッシュメモリ１３ｂやＲＯＭ（不図示）などの不揮発性の記録媒体には、制御部１２が実行するプログラムが記憶されている。
【００１３】
表示部１４は、ＬＣＤなどの表示モニターを備え、デジタルカメラ１００の背面などに設けられる。表示部１４は、制御部１２の制御のもと入力された画像データに基づいて、メニュー画面やライブビュー画像を表示する。
【００１４】
操作部材１５は、例えばレリーズ釦の半押し操作に応じてオンする半押しスイッチと全押し操作に応じてオンする全押しスイッチとを含むレリーズ操作用のレリーズスイッチ１５ａ、各種選択操作に用いる十字スイッチ１５ｂ、ズーム操作を行うためのズームスイッチ１５ｃなどの入力装置である。十字スイッチ１５ｂは、複数のスイッチの集合体であって、例えば上下左右方向をそれぞれ司るスイッチと、決定スイッチとを有する。操作部材１５は、各入力装置による操作信号を制御部１２へ送信する。
【００１５】
画像記録部１６は、画像処理後の画像データを記録媒体に記録する。画像記録部１６は、例えばデジタルカメラ１００に着脱可能に装着されるメモリカードなどの記録媒体（外部記録媒体）に対するインタフェースで構成される。
外部記録媒体スロット１７は、前述したメモリカードなどの外部記録媒体を着脱可能な記録媒体保持部である。
【００１６】
図２は、雰囲気データベース１３０に含まれるデータ（データテーブル）の一例を示す図である。雰囲気データベース１３０には、図２に示されるように、画像データ中の色相の範囲や彩度の範囲や明度の範囲などの色情報と、シーンモードと、それらに対応する雰囲気キーワードとによって構成されるｎ個の雰囲気データＤ１〜Ｄｎが含まれる。雰囲気データＤ１〜Ｄｎの各々は、色と、シーンモードと、色が醸し出す雰囲気、色が見た人に与える印象、または色により表現もしくは連想される感情との関係をそれぞれ定義したデータである。以降では、色が醸し出す雰囲気、色が見た人に与える印象、色により表現または連想される感情のことを総称して雰囲気と記載する。
【００１７】
雰囲気データＤ１〜Ｄｎでは、雰囲気をもたらす色の範囲を、ＨＳＶ色空間内に定めている。すなわち、雰囲気データＤ１〜Ｄｎでは、雰囲気をもたらす色の範囲がその色相（Ｈ）と彩度（Ｓ）と明度（Ｖ）の範囲で定義されている。図２の例では、雰囲気データＤ１とＤ２は共に色相と彩度と明度の範囲がそれぞれＨ１〜Ｈ２、Ｓ１〜Ｓ２、Ｖ１〜Ｖ２に設定されている。この色相と彩度と明度の範囲の色はスカイブルーであるものとする。
また図２の例において、雰囲気データＤ３は、雰囲気データＤ１，Ｄ２に比して、明度の範囲が１つ上のＶ２〜Ｖ３に設定されており、この色相と彩度と明度の範囲の色はライトブルーであるものとする。
【００１８】
雰囲気データＤ１〜Ｄｎを構成する各シーンモードは、デジタルカメラ１００で利用することができるシーンモード、すなわちポートレート、風景、夕焼けなどのいずれかである。図２に例示された雰囲気データＤ１のシーンモードは風景モードであり、雰囲気データＤ２のシーンモードはポートレートモードである。
【００１９】
雰囲気キーワードは、雰囲気を表現した文字列型のデータである。図２では、「爽快な」、「さわやかな」、「澄んだ」といった形容動詞が雰囲気キーワードとして例示されている。
図２のＤ１，Ｄ２から明らかように、同じ色相と彩度と明度の範囲の色（スカイブルー）であっても、シーンモードに応じて適用される雰囲気キーワードは異なるようにデータテーブル上で予め設定されている（風景モードなら「爽快な」だが、ポートレートモードなら「さわやかな」がデータテーブルに予め設定されている）。
また図２のＤ１、Ｄ３から明らかなように、同じシーンモード（風景モード）であっても、雰囲気のもたらす色（色相（Ｈ）と彩度（Ｓ）と明度（Ｖ）の範囲で定義される色）が異なれば、適用される雰囲気キーワードが異なるようにデータテーブル上で予め設定されている（「爽快な」と「澄んだ」が予め設定されている）。
【００２０】
不図示ではあるが、上記した以外にも、雰囲気のもたらす色と、シーンモードと、雰囲気キーワードとの関係データとして、次のようなデータも雰囲気データベース１３０は含んでいる。例えば、色が緑色で且つシーンモードが風景モードである場合の雰囲気キーワードには、「ここちよい」が雰囲気データベース１３０に設定されている。また色がマリンブルーで且つシーンモードが風景モードである場合の雰囲気キーワードには、「きれいな」が雰囲気データベース１３０に設定されている。
【００２１】
なお、雰囲気キーワードは、形容動詞だけに限定されず、例えば「爽快」などのような名詞、「ここちよい」のような形容詞、「とても爽快な」、「少しここちよい」のような副詞を伴う形容動詞または形容詞などであってもよい。なお、雰囲気キーワードに対して、その雰囲気キーワードが示す情態の「程度」を示すワードを伴って雰囲気キーワードを決定しても良い。例えば、副詞を伴う雰囲気キーワードを用いる場合、雰囲気をもたらす色の彩度に基づいて副詞の有無や付加する副詞を決定することにすればよい。一例として、彩度が高い雰囲気データから順に「とても爽快な」、「爽快な」、「少し爽快な」のように、爽快さの程度（度合い）を示す言葉（「とても」や「少し」等）を伴って雰囲気キーワードを設定しておけばよい。なお図２では、雰囲気データＤ１の雰囲気キーワードは「爽快な」（ノーマルな爽快さを示す表現）に設定されており、雰囲気データＤ２の雰囲気キーワードは「さわやかな」（ノーマルなさわやかさを示す表現）に設定されている。
【００２２】
デジタルカメラ１００では、表示部１４の表示用モニターにライブビュー画像を表示するとき、この雰囲気キーワードを含む情報を、ライブビュー画像に重畳表示させる。図３は、表示部１４に表示される画面の一例を示す図であって、ライブビュー画像に雰囲気キーワードを含む情報が重畳表示されている。
【００２３】
図３では、表示部１４の表示画面に表示されたライブビュー画像７０の上に、雰囲気キーワードを含むアイコン３１ａ〜３１ｅが重畳表示されている。表示画面の中央に表示されたアイコン３１ａは、表示部１４に表示中のライブビュー画像７０に対応する雰囲気キーワードを含む。ユーザは、このアイコン３１ａを見ることにより、ライブビュー画像を表示中の構図の雰囲気が所望の雰囲気か否かを容易に判断することができる。
【００２４】
表示画面の周辺部に表示されたアイコン３１ｂ〜３１ｅは、後に詳述するようにライブビュー画像７０の被写体の周囲、すなわち外側の被写体（被写体画像）に関する雰囲気キーワードおよび矢印マークを含む。アイコン３１ｂ〜３１ｅを見たユーザは、現在の構図から、上下左右のどちらの方向に構図を変えたらどのような雰囲気の画像を撮影できるのかを容易に判断することができる。このためユーザーは現在の被写界（撮影シーン）において、所望の雰囲気の画像を撮影するための構図を容易に判断することができる。以降、画面３０のように、ライブビュー画像の上に雰囲気キーワードを含むアイコンを重畳表示させた画面のことを「ガイド画面」と称する。
【００２５】
図４は、制御部１２の機能ブロック図である。制御部１２は、記憶部１３に記憶されているプログラムを実行することにより、画像処理部１２０と、シーン判定部１２１と、代表色決定部１２２と、雰囲気決定部１２３と、ガイド画面表示制御部１２４と、分割部１２５として機能する。
【００２６】
分割部１２５は、入力された画像からいくつかの部分画像を抽出する。分割部１２５の動作の詳細については後述する。
画像処理部１２０は、デジタル画像信号に対して種々の画像処理を行う。例えば、画像処理部１２０は、撮像部１１から入力されたデジタル画像信号に対して、ホワイトバランス処理、ガンマ補正処理、色補間処理などを行い、画像データを生成する。画像処理部１２０が生成する画像データは、例えばＥＸＩＦ形式など、種々のメタデータを付加することができる画像形式のデータである。また、画像処理部１２０は、色空間変換処理を行い、その画像信号の色空間をＲＧＢ色空間からＨＳＶ色空間へ変換する。
なお画像処理部１２０は、分割部１２５で分割された単位の画像信号（詳細は後述）に対しても上記と同様な処理を行う。
【００２７】
シーン判定部１２１は、撮像部１１が出力したデジタル画像信号（画像処理部１２０から出力された画像データ）に基づいて、ポートレート、風景、夕焼けなどのデジタルカメラ１００のシーンモードの中からそのデジタル画像信号に対応するシーンモードを判定（判断）する。
【００２８】
代表色決定部１２２は、シーン判定部１２１により判定されたシーンモードに基づいて、画像処理部１２０によりＨＳＶ色空間に変換された画像信号の中から、その画像信号に含まれる被写体像を代表する代表色を決定する。例えば、代表色決定部１２２は、入力された画像信号が表す画像のうちシーンモードに対応する被写体画像の中で最も広い面積（画素数）を占める色を代表色として決定する。例えば、シーン判定部１２１が風景モードと判定している場合は、風景に関する被写体の画像の中で最も広い面積を占める色を代表色として決定する。代表色決定部１２２は、決定した代表色について、色相と彩度と明度とに関する情報を出力する。
【００２９】
雰囲気決定部１２３は、シーン判定部１２１により判定されたシーンモードと、代表色決定部１２２により出力された画像の代表色の色相と彩度と明度とに関する情報とに基づいて、雰囲気データベース１３０を検索して、当該画像に対応する雰囲気キーワードを決定する。雰囲気決定部１２３が決定した雰囲気キーワードは、ガイド画面表示制御部１２４に出力される。
【００３０】
ガイド画面表示制御部１２４は、雰囲気決定部１２３が決定した雰囲気キーワードを、ライブビュー画像に重畳表示させて、図３のガイド画面３０のようなガイド画面を表示部１４に表示する。
【００３１】
第１の実施の形態にあっては、撮像部１１は、その撮像面の大きさ（換言すれば撮像素子１１ａの持つ画素のうち、画像信号を出力する画素として定義されている有効画素の全て有効画素が配置されている面積）が、撮像面内に設定された所定サイズの画素領域（有効画素領域内のうち、１枚の画像の画像信号として記録される画素が配置されている領域）の面積よりも大きい撮像素子１１ａを使用する。換言すれば、第１の実施形態では、撮像素子１１ａの撮像面上において、画像信号として取り込まれて（切り取られて）保存される領域は、撮像素子１１ａの有効画素領域のサイズよりも小さいサイズの所定領域（以降では「撮影対象領域」とも称す）に設定されている。すなわち所定領域とは、撮像素子１１ａの撮像面の一部であり、所定領域の画像データがライブビュー表示に用いられ、撮影画像データとして記録媒体に記録されるものである。
図５(ａ)、（ｂ）、（ｃ）は、撮像素子１１ａの撮像面の大きさ、すなわち撮像領域５０と、撮影領域である撮影対象領域６０と、ライブビュー画像７０との関係を示したものである。
【００３２】
図５(ａ)は、撮像素子１１ａの全ての有効画素で撮像される撮像領域（以降では「全体の撮像領域」とも称す）５０を示すと共に、撮像素子１１ａの有効画素全てで撮像された画像の一例を示す図である。図５(ａ)に例示する全体の撮像領域５０には、主要な被写体として、スカイブルー（空色）の青空の像５１と、マリンブルー（青緑色）の海の像５２と、灰色の砂浜の像５３と、緑色の山の像５４とが含まれている。
【００３３】
図５（ｂ）に破線で示されるように、撮像素子１１ａの全体の撮像領域５０の中央には、所定領域（記録媒体に１つの画像として記録される撮影対象領域）６０が設定されている。制御部１２は、この撮影対象領域６０のデジタル画像信号に基づいて、ライブビュー画像や記録用の画像データなどを生成する。
【００３４】
図５（ｃ）は、撮影対象領域６０のデジタル画像信号に基づいて生成されたライブビュー画像７０を例示した図である。このライブビュー画像７０では、スカイブルーの青空の像５１が占める面積が最も広い。
【００３５】
ここで上述した分割部１２５で行う処理について説明する。
図４の分割部１２５は、全体の撮像領域５０を、撮影対象領域６０と、その撮影対象領域６０の周囲を含む周囲領域とに分割する。本実施形態では、分割部１２５は、周囲領域を撮影対象領域６０と一部重なり合うように分割する。また分割部１２５は、撮影対象領域６０の周囲に、互いに範囲の異なる複数の周囲領域を設定する。すなわち、分割部１２５は、全体の撮像領域５０を、撮影対象領域６０を含む複数の領域（撮影対象領域６０および複数の周囲領域）に分割して、各分割領域の画像データを抽出または切り出す。
【００３６】
図６は全体の撮像領域５０と、上述した分割領域との関係を示したものである。分割部１２５は、全体の撮像領域５０を、撮影対象領域６０と、四つの周囲画像領域６１ｂ〜６１ｅに分割する。
【００３７】
上部周囲画像領域６１ｂは撮影対象領域６０よりも上側、左部周囲画像領域６１ｃは撮影対象領域６０よりも左側、右部周囲画像領域６１ｄは撮影対象領域６０よりも右側、下部周囲画像領域６１ｅは撮影対象領域６０よりも下側の画像領域である。周囲画像領域６１ｂ〜６１ｅは、撮影対象領域６０と大きさおよび形状が同一であり、且つそれぞれ撮影対象領域６０と一部が重なり合っている。上部周囲画像領域６１ｂでは、スカイブルーの青空の像５１が占める面積が最も広い。左部周囲画像領域６１ｃでは、緑色の山の像５４が占める面積が最も広い。右部周囲画像領域６１ｄではスカイブルーの青空の像５１が占める面積が最も広い。下部周囲画像領域６１ｅではマリンブルーの海の像５２が占める面積が最も広い。
【００３８】
制御部１２は、アイコン３１ａ〜３１ｅを生成するための第１段階として、シーン判定部１２１を用いて撮影対象領域６０と、周囲画像領域６１ｂ〜６１ｅとにおけるシーンモードをそれぞれ判定する。図６の例では、シーン判定部１２１は、撮影対象領域６０と、周囲画像領域６１ｂ〜６１ｅとのすべてに対して、シーンモードを風景モードと判定する。
【００３９】
次に、制御部１２は、代表色決定部１２２を用いて、撮影対象領域６０と、周囲画像領域６１ｂ〜６１ｅとに対する代表色をそれぞれ決定する。例えば、撮影対象領域６０に対しては、代表色決定部１２２は、シーンモードが風景モードであるため、撮影対象領域６０に含まれる風景の像の中から最大の面積を占める色、すなわち青空の像５１のスカイブルーを代表色とする。同様に、代表色決定部１２２は、上部周囲画像領域６１ｂと右部周囲画像領域６１ｄに対しては、代表色をスカイブルー、左部周囲画像領域６１ｃに対しては代表色を緑色、下部周囲画像領域６１ｅに対しては代表色をマリンブルーに決定する。
【００４０】
次に、制御部１２は、雰囲気決定部１２３を用いて、撮影対象領域６０と、周囲画像領域６１ｂ〜６１ｅとに対する雰囲気キーワードをそれぞれ決定する。撮影対象領域６０と上部周囲画像領域６１ｂと右部周囲画像領域６１ｄは代表色がスカイブルーでありシーンモードが風景であるため、雰囲気決定部１２３は、それらの情報をもとに雰囲気データベース１３０（図２）を検索して、雰囲気キーワードを「爽快な」に決定する。同様に、左部周囲画像領域６１ｃは代表色が緑色でありシーンモードが風景であるため、雰囲気決定部１２３は、雰囲気キーワードを「ここちよい」に決定する。下部周囲画像領域６１ｅは代表色がマリンブルーでありシーンモードが風景であるため、雰囲気決定部１２３は、雰囲気キーワードを「きれいな」に決定する。
【００４１】
ガイド画面表示制御部１２４は、雰囲気決定部１２３が決定したこれらの雰囲気キーワードを含むようなアイコン３１ａ〜３１ｅを生成して、図５（ｃ）に示すライブビュー画像７０に重畳表示させることにより、図３に示すガイド画面３０を表示部１４の表示用モニターに表示する。
【００４２】
図７は、デジタルカメラ１００による撮影動作に関するフローチャートの一例である。デジタルカメラ１００の制御部１２は、デジタルカメラ１００が起動されたとき（電源がオンされたとき）に、図７に示す動作をステップＳ２００から開始する。
【００４３】
ステップＳ２００では、制御部１２は、撮像素子１１ａから全体の撮像領域５０のデジタル画像信号を取得する。これらのデジタル画像信号は、バッファメモリ１３ａに一時記憶される。ステップＳ２０１では、制御部１２は、分割部１２５を用いて、ステップＳ２００で取得されたデジタル画像信号の中から、撮影対象領域６０と、周囲画像領域６１ｂ〜６１ｅとに分割するとともに、それら各領域に対応する各画像信号をそれぞれ抽出する。ステップＳ２０１で抽出された各画像も、バッファメモリ１３ａに一時記憶される。
【００４４】
ステップＳ２０２では、制御部１２は、シーン判定部１２１を用いて、撮影対象領域６０の撮影画像と周囲画像領域６１ｂ〜６１ｅの各画像についてシーンモードをそれぞれ判定する。ステップＳ２０２で判定されたシーンモードは、撮影対象領域６０と周囲画像領域６１ｂ〜６１ｅとの各領域ごとに、バッファメモリ１３ａに一時記憶される。
【００４５】
ステップＳ２０３では、制御部１２は、代表色決定部１２２を用いて、撮影対象領域６０の撮影画像と周囲画像領域６１ｂ〜６１ｅの周辺画像とについて、色相に関する情報と彩度に関する情報と明度に関する情報とを含む代表色をそれぞれ決定する。ステップＳ２０３で決定された代表色は、撮影対象領域６０と周囲画像領域６１ｂ〜６１ｅとの各領域ごとに、バッファメモリ１３ａに一時記憶される。
【００４６】
ステップＳ２０４では、制御部１２は、雰囲気決定部１２３を用いて、ステップＳ２０２で判定されたシーンモードと、ステップＳ２０３で決定された代表色とに基づいて、撮影対象領域６０と周囲画像領域６１ｂ〜６１ｅの画像について雰囲気キーワードを決定する。ステップＳ２０４で決定された雰囲気キーワードは、撮影対象領域６０と周囲画像領域６１ｂ〜６１ｅとの各領域ごとにバッファメモリ１３ａに一時記憶される。
【００４７】
ステップＳ２０５では、制御部１２は、ガイド画面表示制御部１２４を用いて、表示部１４の表示モニター上に、図３に示したガイド画面を表示する。制御部１２は、ステップＳ２０４で決定した雰囲気キーワードを含むアイコンを生成して、それらのアイコンを撮影対象領域６０の画像の上に重畳表示させてガイド画面を表示する。
【００４８】
ステップＳ２０６では、制御部１２は、レリーズスイッチ１５ａを用いたレリーズ操作が行われたか否かを判定する。制御部１２は、ステップＳ２０６が肯定判定された場合、すなわちユーザがレリーズ操作を行った場合はステップＳ２０７に処理を進め、ステップＳ２０６が否定判定された場合、すなわちユーザがレリーズ操作を行っていない場合はステップＳ２００に処理を進めて、再びステップＳ２００〜Ｓ２０５の処理を行う。
【００４９】
ユーザは、ステップＳ２００〜ステップＳ２０６の処理が繰り返されている間に、所望の雰囲気を有するライブビュー画像が表示部１４に表示されるように、雰囲気キーワードを含むアイコンを参考にしながらデジタルカメラ１００の姿勢を変更する。例えば、図３において、雰囲気キーワード「爽快な」が付されたライブビュー画像７０をユーザが好まず、きれいな雰囲気の画像を撮影したい場合にはアイコン３１ｅに従いデジタルカメラ１００の姿勢を下向きに変更する。こうして、所望の雰囲気を有するライブビュー画像が表示部１４に表示されたとき、ユーザはレリーズスイッチ１５ａを操作してレリーズ操作を行う。このレリーズ操作により、ステップＳ２０６が肯定判定される。
【００５０】
ステップＳ２０７では、制御部１２は、画像処理部１２０を用いて、撮影対象領域６０の画像信号に基づいて、記録用の画像データを生成する。ステップＳ２０８では、制御部１２は、ステップＳ２０６が肯定判定されるまでの間に撮影対象領域６０に対してステップＳ２０４が決定した雰囲気キーワードのうち、最新の雰囲気キーワードをステップＳ２０７で生成した画像データにメタデータとして付加する。ステップＳ２０９では、制御部１２は、画像記録部１６を介して、ステップＳ２０８でメタデータを付加した記録用画像データを、外部記録媒体スロット１７に装着されている外部記録媒体に記録する。
【００５１】
図８は、制御部１２内の代表色決定部１２２が行う処理に関するフローチャートの一例である。図８のステップＳ３００では、制御部１２は、代表色を決定する画像領域の各々、すなわち撮影対象領域６０と周囲画像領域６１ｂ〜６１ｅとについて、バッファメモリ１３ａからシーン判定部１２１の判定結果を読み込む。
【００５２】
ステップＳ３０１では、制御部１２は、ステップＳ３００で読み込んだシーン判定部１２１の判定結果に応じて、画像中のそのシーンモードにおいて特徴的な被写体部分、すなわち主要被写体部分を特定する。例えば、ポートレートモードの場合には主要被写体部分として人物の顔部分の画像を特定し、また風景モードの場合には画像中で同一の色が連続的に占める面積が最も大きい部分を主要被写体部分とする。
【００５３】
ステップＳ３０２では、制御部１２は、ステップＳ３０１で特定された被写体の像について、各色の面積を算出する。ステップＳ３０３では、制御部１２は、代表色として、ステップＳ３０２で算出された面積が最大の色の色相と彩度と明度をバッファメモリ１３ａに一時記憶させる。
【００５４】
図９は、制御部１２内の雰囲気決定部１２３が行う処理に関するフローチャートの一例である。図９のステップＳ４００では、制御部１２は、雰囲気キーワードを決定する画像領域の各々、すなわち撮影対象領域６０と周囲画像領域６１ｂ〜６１ｅについてシーンモードと、代表色とをバッファメモリ１３ａから読み出す。ステップＳ４０１では、制御部１２は、ステップＳ４００で読み出したシーンモードと代表色とに基づいて、雰囲気データベース１３０を検索する。制御部１２は、検索の結果得られた雰囲気キーワードを、バッファメモリ１３ａに一時記憶させる。
【００５５】
図１０(ａ)は、図７のステップＳ２０９において画像記録部１６を介して外部記録媒体（メモリカードなど）に記録される画像データを模式的に表した図である。図１０(ａ)に模式的に図示されている画像データ５００は、撮影対象領域６０に関する記録用画像データであって、メタデータのデータ領域５０１を有する。メタデータのデータ領域には、Ｉｍｐｒｅｓｓｉｏｎタグで囲われた雰囲気キーワードを記憶するデータ領域５１１が存在している。データ領域５１１には、ｗｏｒｄタグで囲われて、「爽快な」という撮影対象領域６０の雰囲気キーワードが記憶されている。
なお図１０（ｂ）の説明については、変形例にて後述する。
【００５６】
―第２の実施の形態―
本発明の第２の実施の形態について説明する。本発明の第２の実施の形態による撮像装置の構成は、第１の実施の形態によるデジタルカメラ１００と同一である。第２の実施の形態と第１の実施の形態とが大きく異なる点は、図５で説明した全体の撮像領域５０内の撮影対象領域６０を、デジタルカメラ１００の姿勢を変えることなく、全体の撮影領域５０の中央部分から周辺部分に変更することができる点である。
【００５７】
第２の実施の形態では、ユーザは、図３のようなガイド画面が表示されているときに、十字スイッチ１５ｂを用いて、アイコン３１ｂ〜３１ｅを選択することができる。なお、図３の画面では、撮影対象領域は、図６の撮影対象領域６０の位置に設定されている。以降の説明では、ユーザがアイコン３１ｅを選択操作した場合について説明するが、アイコン３１ｂ〜３１ｄを選択操作した場合も同様の動作となる。
【００５８】
図３において、ユーザがアイコン３１ｅを選択操作すると、撮影対象領域６０が図６の下部周囲画像領域６１ｅに変更される。これに応じて分割部１２５は、全体の撮像領域５０を、新しく撮影対象領域となった下部周囲画像領域６１ｅ（以降、本実施形態では新撮影対象領域６１ｅと称す）を中心にしてその上側の領域（元々の撮影対象領域６０）と新撮影対象領域６１ｅの左右の領域とに分割する。新撮影対象領域６１ｅとその上側の領域とについては既に雰囲気キーワードが決定されているが、左右の領域については雰囲気キーワードが未だ決定されていない。制御部１２は、雰囲気キーワードが未だ決定されていない左右の画像領域についての雰囲気キーワードを、上述した方法により決定する。このようにして、図１１に示すように変更された新撮影対象領域６１ｅの画像が表示部１４の表示用モニター上に表示されると共に、上側の領域（元々の撮影対象領域６０）の雰囲気キーワードおよび矢印マークと、左右の領域の雰囲気キーワードおよび矢印マークとが表示部１４の表示画面の上部端と左右端とに表示される。もちろん、下部周囲画像領域６１ｅの下方には、全体の撮像領域５０が存在しないため、表示画面の下部端には雰囲気キーワードを表示しない。
【００５９】
図１１は、上述のようにユーザが図３のガイド画面３０の表示中にアイコン３１ｅを選択操作した場合に、表示部１４の表示用モニターに新たに表示されるガイド画面の一例である。図１１のガイド画面での表示内容は、上述した通りである。
【００６０】
図１１に例示されたガイド画面８０には、図６に示した下部周囲画像領域６１ｅの画像がライブビュー画像として表示部１４に表示されており、表示画面の中央に下部周囲画像領域６１ｅの雰囲気キーワード「きれいな」を含むアイコン８１ａが表示されている。そして、ガイド画面８０には、新しい撮影対象領域の周囲の画像領域に対応するアイコン８１ｂ〜８１ｄが表示されている。アイコン８１ｂには、元々の撮影対象領域６０の雰囲気キーワード「爽快な」が含まれている。表示部１４の外周の下側近傍には、アイコンが表示されていない。
【００６１】
図１１のガイド画面８０が表示部１４に表示されているときに、ユーザがレリーズスイッチ１５ａを用いてレリーズ操作を行ったとき、制御部１２は、新たな撮影対象領域の画像に基づいて、画像データを生成する。このとき、メタデータには、新しい撮影対象領域に対する雰囲気キーワードに関する情報が付加される。
【００６２】
図１２は、本発明の第２の実施の形態におけるデジタルカメラ１００を用いた撮影動作のフローチャートである。図１２に示す動作フローのうち、図７と同様の動作フローについては同一の符号を付し、その説明を省略する。
【００６３】
図１２のステップＳ５０１では、制御部１２は、ユーザがレリーズスイッチ１５ａを用いてレリーズ操作が行ったか否かを判定する。制御部１２は、ステップＳ５０１が肯定判定された場合、すなわちレリーズ操作が行われた場合はステップＳ２０７に処理を進めて最新の撮影対象領域について記録用の画像データを生成する。他方で、制御部１２は、ステップＳ５０１が否定判定された場合はステップＳ５０２に進む。
【００６４】
ステップＳ５０２では、制御部１２は、ユーザが十字スイッチ１５ｂを用いて雰囲気キーワードを含むアイコンを選択操作したか否かを判定する。制御部１２は、ステップＳ５０２が肯定判定された場合、すなわち雰囲気キーワードを含むアイコンがユーザーに選択操作されたと判断した場合はステップＳ５０３に処理を進め、ステップＳ５０２が否定判定された場合はステップＳ２００に進む。
【００６５】
ステップＳ５０３では、制御部１２は、ステップＳ５０２で選択操作された周囲画像領域を撮影対象領域に変更すると共に、新たに周囲画像対象領域を設定して、ステップＳ２００に処理を進める。以降のステップＳ２００〜Ｓ２０５の処理とステップＳ２０７〜Ｓ２０９の処理とでは、新しい撮影対象領域と新たな周囲画像対象領域とを用いて処理を行う。
【００６６】
以上で説明した第１および第２の実施の形態によれば、以下の作用効果が得られる。
本発明の第１および第２の実施の形態によるデジタルカメラ１００は、撮像部１１を備え、撮影対象領域６０よりも大きい全体の撮像領域５０を有する撮像素子１１ａにより被写体像を撮像する。また、デジタルカメラ１００は、分割部１２５として機能する制御部１２を備え、全体の撮像領域５０から、撮影対象領域６０とその周囲の周囲画像領域６１ｂ〜６１ｅとを抽出する。制御部１２は、雰囲気決定部１２３としても機能し、撮影対象領域６０の画像が有する雰囲気と周囲画像領域６１ｂ〜６１ｅの画像が有する雰囲気とを決定する。デジタルカメラ１００は、表示部１４を備え、制御部１２のガイド画面表示制御部１２４の制御のもと、撮影対象領域の画像と、雰囲気決定部１２３により決定された撮影対象領域の画像が有する雰囲気に関するアイコンと、周囲画像領域の画像が有する雰囲気に関するアイコンとを表示部１４に表示する。このようにガイド画面を表示することにより、デジタルカメラ１００は、撮影中に表現される雰囲気に関する情報をユーザに提示することができ、高度な技術を持たないユーザであっても、その撮影シーンにおいて所望の雰囲気を有する構図の画像を撮影することができる。
【００６７】
−第３の実施形態−
上記第１、第２の実施形態では、上述のガイド画面３０を、撮影時にユーザーに提供する装置（撮影装置）について説明した。第３の実施形態では、上述のガイド画面を、画像再生時にユーザーに提供する装置（画像再生装置）について説明する。なお画像再生装置としては、表示用モニターを備えていれば何でも良く、例えば、ノート型ＰＣ（パーソナルコンピュータ）、デスクトップ型ＰＣ、タブレット型ＰＣ、モバイル機器（携帯電話、スマートフォン等）、デジタルカメラ等が考えられる。
【００６８】
図１７は、第３の実施の形態による画像再生装置の構成例を示すブロック図である。図１７には、画像再生装置の一例として、表示用モニターを備えたＰＣが例示されている。なお図１の構成と同様の構成については同一の符号を付してここでの説明は省略する。
なお、画像再生装置がデジタルカメラである場合には、図１に示す構成がそのまま適用される（ただし制御部１２の動作については、後述の図１８に示す動作を行う）。
【００６９】
ＰＣ２００は、制御部１２と、記憶部１３と、表示用モニターを備えた表示部１４と、操作部材１５と、外部記録媒体スロット１７と、を備える。
制御部１２は、例えばＣＰＵと画像処理部とを含み、記憶部１３に記憶されているプログラムを実行することにより、ＰＣ２００の各部を制御する。制御部１２により実行される各処理については詳細を後述する。
記憶部１３は、バッファメモリ１３ａなどの揮発性の記録媒体と、フラッシュメモリ１３ｂやＲＯＭ（不図示）などの不揮発性の記録媒体とを含む。バッファメモリ１３ａには、外部記録媒体スロットに装着された外部記録媒体（メモリーカードなど）から読み取った記録済みのデジタル画像信号が一時的に格納される。フラッシュメモリ１３ｂには、図２にて上述した雰囲気データベース１３０が記憶されている。フラッシュメモリ１３ｂやＲＯＭ（不図示）などの不揮発性の記録媒体には、制御部１２が実行するプログラムが記憶されている。
【００７０】
表示部１４は、ＬＣＤなどで構成され、外部記録媒体からバッファメモリ１３ａに取り込んだ画像データに基づいて、メニュー画面やライブビュー画像を表示する。
操作部材１５は、十字スイッチ１５ｂ、再生中に画像に対してデジタルズーム操作を行うためのズームスイッチ１５ｃなどの入力装置である。十字スイッチ１５ｂは、複数のスイッチの集合体であって、例えば上下左右方向をそれぞれ司るスイッチと、決定スイッチとを有する。操作部材１５は、各入力装置による操作信号を制御部１２へ送信する。
外部記録媒体スロット１７は、前述したメモリカードなどの外部記録媒体を着脱可能な記録媒体保持部である。
画像記録部１６は、後述する「部分画像データ」を、外部記録媒体スロット１７に装着されている記録媒体に、元画像データ（後述する「有効画素領域画像データ」）と関連づけて記録するものである。
なお第３の実施形態においては、記録媒体に記録されている画像の中に、図５に示す有効画素領域（全体の撮像領域５０）に対応する画像データが記録されているものとする。以降ではこの全体の撮像領域５０の画像データのことを「有効画素領域画像データ」とも称す。
【００７１】
ＰＣ２００の制御部１２は、スロット１７に装着されている外部記録媒体から読み取った画像データの中に、有効画素領域画像データが含まれている場合には、次のような処理を行う。
図１８は、ＰＣ２００よる画像再生動作に関するフローチャートの一例である。ＰＣ２００の制御部１２は、ＰＣ２００の不図示の画像再生ボタンが操作されたときに、図１８に示す動作をステップＳ１２００から開始する。
【００７２】
ステップＳ１２００では、制御部１２は、外部記録媒体から有効画素領域画像データ（有効画素領域のデジタル画像信号）を取得する。この有効画素領域のデジタル画像信号は、バッファメモリ１３ａに一時記憶される。ステップＳ１２０１では、制御部１２は、分割部１２５を用いて、ステップＳ１２００で取得された有効画素領域のデジタル画像信号の中から、図６で示すような所定領域６０と、周囲画像領域６１ｂ〜６１ｅとに分割するとともに、それら各領域に対応する各画像信号をそれぞれ抽出する（換言すれば、有効画素領域のデジタル画像信号を部分的に電子トリミングして各領域に対応する画像信号を得る）。ステップＳ１２０１で抽出された各画像も、バッファメモリ１３ａに一時記憶される。
【００７３】
ステップＳ１２０２では、制御部１２は、シーン判定部１２１を用いて、所定領域６０の画像と周囲画像領域６１ｂ〜６１ｅの各画像についてシーンモードをそれぞれ判定する。ステップＳ１２０２で判定されたシーンモードは、所定領域６０と周囲画像領域６１ｂ〜６１ｅとの各領域ごとに、バッファメモリ１３ａに一時記憶される。
ステップＳ１２０３では、制御部１２は、代表色決定部１２２を用いて、所定領域６０の画像と周囲画像領域６１ｂ〜６１ｅの周辺画像とについて、色相に関する情報と彩度に関する情報と明度に関する情報とを含む代表色をそれぞれ決定する。ステップＳ１２０３で決定された代表色は、所定領域６０と周囲画像領域６１ｂ〜６１ｅとの各領域ごとに、バッファメモリ１３ａに一時記憶される。
【００７４】
ステップＳ１２０４では、制御部１２は、雰囲気決定部１２３を用いて、ステップＳ１２０２で判定されたシーンモードと、ステップＳ１２０３で決定された代表色とに基づいて、所定領域６０と周囲画像領域６１ｂ〜６１ｅの画像について雰囲気キーワードを決定する。ステップＳ１２０４で決定された雰囲気キーワードは、所定領域６０と周囲画像領域６１ｂ〜６１ｅとの領域ごとにバッファメモリ１３ａに一時記憶される。
ステップＳ１２０５では、制御部１２は、ガイド画面表示制御部１２４を用いて、表示部１４の表示モニター上に、図３に示すようなガイド画面を表示する。なおこのガイド画面において再生表示される画像は、有効画素領域画像データのうちの、所定領域６０と同じサイズの（有効画素領域画像データよりも小さい領域に対応する）部分画像データの画像である（以降ではガイド画面において表示モニター上に再生表示される部分画像データの画像のことを「部分再生画像」とも称す）。なお当然ながら、このステップにおいて表示される画像は、記録媒体に記録済みの画像（再生画像）を元にして画像再生しているものであり、ライブビュー画像の表示では無い。
【００７５】
制御部１２は、ステップＳ１２０４で決定した雰囲気キーワードを含むアイコンを生成して、それらのアイコンを所定領域６０の画像の上に重畳表示させてガイド画面を表示する。
ステップＳ１２０６では、制御部１２は、十字スイッチでアイコンの選択操作がなされて（或いはアイコン選択操作なしで）、十字スイッチに含まれる決定スイッチが操作されたか否かを判定する。制御部１２は、ステップＳ１２０６が肯定判定された場合、すなわちユーザが決定スイッチのオン操作を行った場合はステップＳ１２０７に処理を進め、ステップＳ１２０６が否定判定された場合、すなわちユーザが決定操作を行っていない場合はステップＳ１２００に処理を戻して、再びステップＳ１２００〜Ｓ１２０５の処理を行う。
【００７６】
ユーザは、ステップＳ１２００〜ステップＳ１２０６の処理が繰り返されている間に、所望の雰囲気を有する部分再生画像（所定領域６０と同じサイズの部分画像データの画像）が表示部１４の表示モニター上に表示されるように、雰囲気キーワードを含むアイコンを参考にしながら十字スイッチを操作して表示画像を変化させる。例えば、図３において、雰囲気キーワード「爽快な」が付された部分再生画像７０をユーザが好まず、きれいな雰囲気の画像を再生したい（あるいは新たな画像データとして記録媒体に残したい）場合には、アイコン３１ｅに従い十字スイッチ１５ｂを下向きに操作する。こうして、所望の雰囲気を有する部分再生画像が表示モニター上に表示されたとき、ユーザは十字スイッチ１５ｂに含まれる決定スイッチを操作して決定操作を行う。この決定操作により、ステップＳ１２０６が肯定判定される。
【００７７】
ステップＳ１２０７では、制御部１２は、画像処理部１２０を用いて、決定スイッチの操作時点で再生表示されている部分再生画像の画像信号に基づいて、その部分画像再生の再生動作を継続したり、或いは新たに記録媒体に記録するための「部分画像データ」（部分再生画像に応じた画像データ）を生成する。なお本ステップＳ１２０７では、新たに「部分画像データ」を記録するものとして、以降の説明を続ける。ステップＳ１２０８では、制御部１２は、ステップＳ１２０６が肯定判定されたときの部分再生画像に対して、ステップＳ１２０４で決定した雰囲気キーワードを、ステップＳ１２０７で生成した部分画像データにメタデータとして付加する。ステップＳ１２０９では、制御部１２は、画像記録部１６を介して、ステップＳ２０８でメタデータを付加した記録用画像データ（換言すれば、有効画素領域画像データを電子トリミングした画像データ）を、外部記録媒体スロット１７に装着されている外部記録媒体に記録する。この記録の際に、記録部１６は、元のサイズの画像データ（有効画素領域画像データ）と、部分画像データおよび上記メタデータとを関連付けて記録媒体に記録する。
【００７８】
なお第３の実施形態における、制御部１２内の代表色決定部１２２が行う処理は、図８にて説明済みのフローチャートと同様（撮影対象領域６０を所定領域６０と読み換えれば良い）であるので説明を省略する。
また第３の実施形態における、制御部１２内の雰囲気決定部１２３が行う処理は、図９にて説明済みのフローチャートと同様（撮影対象領域６０を所定領域６０と読み換えれば良い）であるので説明を省略する。
【００７９】
以上で説明した実施形態は、以下のように変形して実施できる。
〔変形例１〕  第１および第２の実施の形態では、デジタルカメラ１００は、撮影レンズ１０がカメラボディと一体的に形成されているデジタルカメラとした。しかし、デジタルカメラ１００は、撮影レンズ（交換レンズ）１０をカメラボディに着脱可能なレンズ交換式カメラ（例えばノンレフレックスタイプのデジタルカメラやレフレックスタイプのデジタルカメラ）であってもよい。
【００８０】
〔変形例２〕  第１および第２の実施の形態では、図３や図１１に示したように、ライブビュー画像７０に雰囲気キーワードを含むアイコン３１ａ〜３１ｅを重畳させて表示部１４に表示することにしたが、雰囲気キーワードの表示方法は、この方法だけに限定されない。例えば、表示部１４を、ライブビュー画像を表示する第１の表示部と、第１の表示部の周囲に設けられた雰囲気キーワードを表示する第２の表示部とで構成することにしてもよい。雰囲気キーワードを表示する表示部を別に設けることにより、雰囲気キーワードを含むアイコン３１ａ〜３１ｅによりライブビュー画像が隠れることがなくなる。
【００８１】
〔変形例３〕  図５（ｂ）に示した撮影対象領域６０の大きさおよび位置は、あくまで一例であってこの大きさに限定されない。また、撮影対象領域６０の周囲に設定される周囲画像領域の個数は、上下左右の４個だけに限定されない。例えば、撮影対象領域６０の左上、右上、左下、右下にも周囲画像領域をさらに設定して８個の周囲画像領域を用いることにしてもよい。なお、このとき図１３に示すように、雰囲気キーワードを含むアイコン３１ａ〜３１ｅを表示する代わりに表示部１４の表示画面を９個に分割した分割表示領域に、雰囲気キーワードを含む文字情報を表示することにしてもよい。また、例えば撮影対象領域６０の縦または横の幅を、撮像素子１１ａの全体の撮像領域５０に一致させた場合、左右または上下だけに周囲画像領域を設定することにしてもよい。
【００８２】
〔変形例４〕  第１および第２の実施の形態では、周囲画像領域６１ｂ〜６１ｅは、その一部が撮影対象領域６０と重なるように設定されているが、重ならないように設定してもよい。図１４は、図６の周囲画像領域６１ｂ〜６１ｅのうち撮影対象領域６０と重なっていない画像領域を周囲画像領域６２ｂ〜６２ｅとして例示した図である。制御部１２は、これらの周囲画像領域６２ｂ〜６２ｅに対しても、シーン判定部１２１と代表色決定部１２２と雰囲気決定部１２３とを用いて雰囲気キーワードを決定することができる。そして、周囲画像領域６２ｂ〜６２ｅに対する雰囲気キーワードを含むアイコンを、図３のアイコン３１ｂ〜３１ｅに代えて、またはアイコン３１ｂ〜３１ｅと共に表示することにすればよい。ユーザは、これらの周囲画像領域６２ｂ〜６２ｅに対して決定された雰囲気キーワードを含むアイコンを見ることにより、構図の変化による雰囲気の変化が明確にわかるようになる。また、デジタルカメラ１００において、周囲画像領域の設定の手法として、周囲画像領域６１ｂ〜６１ｅを周囲画像として設定して使用するモードと、周囲画像領域６２ｂ〜６２ｅを周囲画像として設定して使用するモードとをユーザーが手動操作で切り替えられるようにしてもよい。
【００８３】
〔変形例５〕  第１および第２の実施の形態では、アイコン３１ａ〜３１ｅは、雰囲気決定部１２３が決定した雰囲気キーワードの文字情報を含んでいたが、必ずしも雰囲気キーワードを文字情報で表さなくてもよい。例えば、雰囲気キーワードを象徴するマークで表してもよい。なお、アイコン３１ａ〜３１ｅが雰囲気キーワードを文字情報で表す場合であっても、雰囲気キーワードに「非常に」、「とても」、「少し」などの副詞をさらに付加して表示することにしてもよい。これらの副詞は、代表色が撮影対象領域や周囲画像領域を占める割合に基づいて、設定することにしてもよい。このように副詞をさらに付加することにより、図３に例示したアイコン３１ａ、３１ｂ、３１ｄのように同一の雰囲気キーワードが表示されている場合に、その雰囲気の強弱に関する情報をユーザに提供することができる。
【００８４】
図１５は、代表色が撮影対象領域や周囲画像領域を占める割合に基づいて、雰囲気決定部１２３が雰囲気キーワードを決定した場合のライブビュー画面例を示す図である。図１５では、ライブビュー画像に、図３に例示したアイコン３１ａ〜３１ｅの代わりにアイコン３２ａ〜３２ｅが重畳されている。アイコン３２ａと３２ｂとに含まれている雰囲気キーワードは、図６に示した撮影対象領域６０と上部周囲画像領域６１ｂとを代表色スカイブルーが占める割合に基づいて、副詞「少し」と「とても」とがそれぞれ付加されている。これは上部周囲画像領域６１ｂの画像において代表色スカイブルーの占める割合が非常に大きい（第１の割合以上）であるために「とても」が付加されており、その一方、撮影対象領域６０の画像において代表色スカイブルーの占める割合が第１の割合より少ない第２の割合以下であるために「少し」が付加されている。また雰囲気決定部１２３は、アイコン３２ｄに対しては、図６に示した右部周囲画像領域６１ｄを代表色スカイブルーが占める割合に基づいて（右部周囲画像領域６１ｄの画像において代表色スカイブルーの占る割合が第２の割合より多く且つ第１の割合未満である）、副詞を付加しないことを決定している。
【００８５】
〔変形例６〕  十字スイッチ１５ｂなどを用いてユーザが所望の雰囲気を予め入力できるようにして、撮影対象領域が所望の雰囲気か否かを画像、ＬＥＤ等の表示灯、音声などを用いて報知することにしてもよい。また、所望の雰囲気となるような構図を全体の撮像領域５０の中から抽出して、その構図を撮影するための操作方法をユーザに報知することにしてもよい。また、例えばユーザが所望の雰囲気として「ここちよい」を入力した場合に、図１５に示すガイド画面９０が表示された状態でレリーズ操作が行われるとき、雰囲気キーワード「ここちよい」の図６の左部周囲画像領域６１ｃの画像に基づいて、自動的に画像データを生成して画像データを記録媒体に記録することにしてもよい。
【００８６】
〔変形例７〕  第１および第２の実施の形態では、記録用画像データに撮影対象領域６０の画像データを記録することとしたが、全体の撮像領域５０の全領域の画像データを記録することにしてもよい。図１０（ｂ）は、全体の撮像領域５０の全領域の画像データを記録した場合の記録用画像データを模式的に表した図である。図１０（ｂ）に示した記録用画像データ５５０もメタデータのデータ領域５５１を有する。このデータ領域５５１には、撮影対象領域６０に対する雰囲気キーワードおよび形状を表すデータ領域５６１と、周囲画像領域６１ｂ〜６１ｅに対する雰囲気キーワードおよび形状を表すデータ領域５６２とを有する。全体の撮像領域５０の全領域の画像データを記録することで、記録時に撮影対象領域としていた画像領域以外の画像についても表示することができるようになる。
更には、全体の撮像領域５０の画像データそのものに対する雰囲気キーワードも決定して全体の撮像領域５０の画像データと共に、記録媒体上の所定のデータ領域に記録するように構成しても良い。
【００８７】
〔変形例８〕  第１の実施の形態では、雰囲気キーワードを含むアイコンをライブビュー画像に重畳表示させて、ユーザがデジタルカメラ１００自身を上下左右方向や斜め方向に並行移動（スライド移動）操作或いは回転移動操作させて構図を変化させることを支援した。しかし、制御部１２は、デジタルカメラ１００の移動以外の操作による構図の変化に対しても、雰囲気キーワードを含むアイコンを表示することにしてもよい。例えば、工学的に画角を変える撮影レンズのズーム操作や、或いはデジタル的に画角を変えるデジタルズーム操作による構図の変化に対しても雰囲気キーワードを含むアイコンを表示することにしてもよい。
【００８８】
図１６は、ズームレンズのズーム操作を行うためのズームスイッチ１５ｃが操作されたときに表示部１４に表示されるガイド画面９０を示す図である。
制御部１２は、ズームアップ操作されたときに撮像された画像から上記実施形態で述べた手法で雰囲気キーワードを決定すると共に、ズームダウン操作されたときに撮像された画像からも雰囲気キーワードを決定する。そしてこのように決定された雰囲気キーワードを用いて、図１６に示すようなガイド画面９０を表示部の表示モニター上に表示する。
図１６のガイド画面９０には、ライブビュー画像７０と、雰囲気キーワードを含むアイコン９２とが表示されるとともに、不図示のズームレンズをテレ端側に移動した際（以降、ズームアップ時と記載）に、図５（ｂ）の撮影対象領域６０に一致する画像領域を示す枠９１が重畳表示されている。また、ズームアップ時の画像の雰囲気キーワードを含むアイコン９３と、不図示のズームレンズがワイド端側に移動した際（以降、ズームダウン時と記載）の画像の雰囲気キーワードを含むアイコン９４とがそれぞれガイド画面９０の右上部と右下部とに表示されている。
【００８９】
ユーザがズームスイッチ１５ｃを用いてズームアップを行ったとき、枠９１の内側の画像が表示部１４に拡大表示される。一方、ユーザがズームスイッチ１５ｃを用いてズームダウンを行ったとき、撮像素子１１ａの撮像領域５０の全体の画像が縮小表示される。ユーザは、図１６のような表示を見て、ズーム操作による雰囲気の変化を予め知ることができる。
上記ではズームレンズを用いて光学的にズーム操作を行う場合について説明したが、上述したデジタルズーム操作を行う場合においても、光学ズーム操作を行った場合と同様の手法で、図１６に示すようなガイド画面９０を表示することができる。
【００９０】
〔変形例９〕  上述の第１および第２の実施の形態にあっては、撮像素子として有効画素領域（撮像面、すなわち全体の撮像領域５０）の大きさが撮影対象領域６０よりも十分に大きい撮像素子を使用して、撮影対象領域６０の画像とその周囲の周囲領域６１ｂ〜６１ｅの画像とを同時に撮像するものであった。本発明は、それに限るものではなく、例えば互いに異なる被写界を連続的に撮影した複数の画像データを繋ぎ合わせて、その複数の画像データの面積よりも大きい面積の大画面の画像データを生成するように構成し、そしてその大画面の画像データを構成した１つの画像データを撮影対象領域とするようにしても良い。
例えばパノラマ撮影のようにデジタルカメラ１００自体を順次移動（スイング移動）操作しながら複数回の撮影（連続撮影）を行って互いに被写界の異なる複数画像を取得し、それら複数回の撮影により取得された複数の画像をつなぎ合わせて１つの大きな画面の画像を生成し、この大画面画像の中で、撮影対象領域（この場合は撮影対象領域が有効画素領域５０と同程度の大きさであっても可）とその周囲の周辺画像領域とに分割するようにしてもよい。
【００９１】
〔変形例１０〕  第１および第２の実施の形態では、撮影レンズ１０のイメージサークルに撮像素子１１ａの全体の撮像領域５０が含まれていた。しかし、デジタルカメラ１００は、撮影レンズ１０のイメージサークル全体を包含するような撮像領域を有する撮像素子を用いることにしてもよい。これにより、撮影レンズ１０のイメージサークル内の被写体像をすべて撮影に利用することができる。
〔変形例１１〕  上記の第１，第２の実施の形態は、画像処理装置（デジタルカメラなど）のフラッシュメモリに、上述した動作（図７、８、９、１２に示すフローチャート）を実行する処理プログラムが既にインストールされている場合について説明した。このような処理プログラムが未だインストールされていない画像処理装置であっても、上記処理プログラムを記録したプログラム記録媒体（ＣＤ、ＤＶＤなど）やインターネットを経由してインストールすることで、上記動作を実行可能とさせるように、上記処理プログラムを提供するようにしても良い。
〔変形例１２〕  上記の第３実施の形態は、画像再生装置（ＰＣなど）のフラッシュメモリに、上述した動作（図１８、８、９等に示すフローチャート）を実行する処理プログラムが既にインストールされている場合について説明した。このような処理プログラムが未だインストールされていない画像再生装置であっても、上記処理プログラムを記録したプログラム記録媒体（ＣＤ、ＤＶＤなど）やインターネットを経由してインストールすることで、上記動作を実行可能とさせるように、上記処理プログラムを提供するようにしても良い。
【００９２】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００９３】
１１  撮像部
１１ａ  撮像素子
１２  制御部
１３  記憶部
１４  表示部
１６  画像記録部
３０，８０，９０  ガイド画面
３１ａ，３１ｂ，３１ｃ，３１ｄ，３１ｅ，３２ａ，３２ｂ，３２ｃ，３２ｄ，３２ｅ，８１ａ，８１ｂ，８１ｃ，８１ｄ，９２，９３，９４  アイコン
５０  全体の撮像領域（有効画素領域）
６０  撮影対象領域
６１ｂ，６１ｃ，６１ｄ，６１ｅ，６２ｂ，６２ｃ，６２ｄ，６２ｅ  周囲画像領域
１００  デジタルカメラ
１２０  画像処理部
１２１  シーン判定部
１２２  代表色決定部
１２３  雰囲気決定部
１２４  ガイド画面表示制御部
１２５  分割部
１３０  雰囲気データベース
【図１】
2014175732.tif 000003
【図２】
2014175732.tif 000004
【図３】
2014175732.tif 000005
【図４】
2014175732.tif 000006
【図５】
2014175732.tif 000007
【図６】
2014175732.tif 000008
【図７】
2014175732.tif 000009
【図８】
2014175732.tif 000010
【図９】
2014175732.tif 000011
【図１０】
2014175732.tif 000012
【図１１】
2014175732.tif 000013
【図１２】
2014175732.tif 000014
【図１３】
2014175732.tif 000015
【図１４】
2014175732.tif 000016
【図１５】
2014175732.tif 000017
【図１６】
2014175732.tif 000018
【図１７】
2014175732.tif 000019
【図１８】
2014175732.tif 000020